(57)【特許請求の範囲】
【請求項１】
遮熱シートを溝形フレームの溝内に押さえ込む、遮熱シートの押さえ込み工具であって、
上記遮熱シートは、上記溝形フレームの溝内面と、溝形状の内装フレームの外面との間に挟まれた状態に配され、溝内に収容された内装フレームの上面で、略長方形状の平板よりなる固定部材で溝内の両側壁を押圧して遮熱シートが溝内に固定される固定構造となっており、
上面に押圧板部を有し、該押圧板部に、上記固定部材を溝内に収容するための開口部を備えるとともに、下面に上記内装フレームを押さえ込む押さえ込み脚片を備えたことを特徴とする、遮熱シートの押さえ込み工具。
【請求項２】
請求項１において、
１枚の折曲板体にて一体形成されていることを特徴とする、遮熱シートの押さえ込み工具。
【請求項３】
請求項１において、
２枚のＬ字形板体の１片同士を固着して形成されていることを特徴とする、遮熱シートの押さえ込み工具。
【発明の詳細な説明】
【技術分野】
【０００１】
本発明は、遮熱シートを溝形フレームの溝内に押さえ込む、遮熱シートの押さえ込み工具に関する。
【背景技術】
【０００２】
従来、屋根上に遮熱シートを配設するために、屋根上固定具を介して溝形フレームを屋根上に架設し、その溝形フレームで遮熱シートを固定、張設するようにした遮熱シートの取付構造が提案されている（特許文献１参照）。
【０００３】
遮熱シートをこのように溝形フレームの溝内に固定状態に取り付けるためには、まず、遮熱シートが溝形フレームの溝内面と、溝形状の内装フレームの外面との間に挟まれるようにして、内装フレームと遮熱シートを溝内に押さえ込み、さらにその内装フレームの内底面上で、略長方形状の平板よりなる固定部材の両短辺を溝内の両側壁に向け、その固定部材で溝部の両側壁を押圧させて、遮熱シートを溝内に固定（仮固定）する方法が採られている。確実に遮熱シートを固定するために、溝内にはさらに溝内固定用の波形スプリングを内装し、フレームカバーを溝開口を塞ぐように取り付け、ビス等で固定する固定構造となっている。
【０００４】
上記固定部材は、その長辺を溝形フレームの長手方向に向けて溝内に落とし込んだ後、それを約９０度回転させることで溝の両側壁間に圧嵌され、押圧によって遮熱シートを固定できるようになっている。例えば、Ｌ形杆状のドライバーの先端を固定部材の表面に設けた操作溝に差し込んで回転操作することで、固定部材の圧嵌取付は簡単に行える。
【先行技術文献】
【特許文献】
【０００５】
【特許文献１】特開２０１０−１１２００７号公報
【発明の概要】
【発明が解決しようとする課題】
【０００６】
ところで、遮熱シートの取り付けにおいてもっとも面倒な作業は、遮熱シートをある程度強い張力で溝形フレーム間に張設することであり、そのためには遮熱シートを張った状態を維持しながら、その遮熱シートとともに内装フレームを溝形フレームの溝内に押さえ込まなければならない。
【０００７】
しかしながら、従来では、この押さえ込み作業を手指や手近にある工具等を使って行っていたため、作業途中で遮熱シートが弛んでしまうことがあった。つまり、遮熱シートの一端あるいは中間等を溝形フレームに取り付けた後、隣設された別の溝形フレームに遮熱シートの他の部位を取り付ける際には強い力で確実に張力を維持する必要があるから、その場合には困難な作業を強いられていた。
【０００８】
また、遮熱シートの溝形フレームへの押さえ込みにおいて張力を維持できなかった場合、そのままの状態では、その後の固定部材による固定作業ができないから、十分な張力状態となるまで押さえ込み作業をなんども繰り返さなければならなかった。
【０００９】
本発明は、このような事情を考慮して提案されたもので、その目的は、遮熱シートの溝形フレームの溝内への押さえ込み作業が簡便に行える、遮熱シートの押さえ込み工具を提供することにある。
【課題を解決するための手段】
【００１０】
請求項１に記載の遮熱シートの押さえ込み工具は、遮熱シートを溝形フレームの溝内に押さえ込む、遮熱シートの押さえ込み工具であって、遮熱シートは、溝形フレームの溝内面と、溝形状の内装フレームの外面との間に挟まれた状態に配され、溝内に収容された内装フレームの上面で、略長方形状の平板よりなる固定部材で溝内の両側壁を押圧して遮熱シートが溝内に固定される固定構造となっており、上面に押圧板部を有し、該押圧板部に、固定部材を溝内に収容するための開口部を備えるとともに、下面に上記内装フレームを押さえ込む押さえ込み脚片を備えたことを特徴とする。
【００１１】
請求項２に記載の遮熱シートの押さえ込み工具は、１枚の折曲板体にて一体形成されていることを特徴とする。
【００１２】
請求項３に記載の遮熱シートの押さえ込み工具は、２枚のＬ字形板体の１片同士を固着して形成されていることを特徴とする。
【発明の効果】
【００１３】
請求項１に記載の遮熱シートの押さえ込み工具によれば、上面に押圧板部が形成され、下面に押さえ込み脚片が形成されているので、押さえ込み工具を内装フレームに合体させた状態で押圧板部を上方より押圧しながら溝形フレームの溝部の中に押さえ込むようにするだけで、簡単に装着できる。
【００１４】
また、遮熱シートの押さえ込み工具は押圧板部に開口部を備えているので、その開口部を、遮熱シートを溝形フレームの溝部に固定するための固定部材の装着操作のための操作窓として使用できる。そのため、内装フレームを溝形フレームに嵌め入れた後に遮熱シートの押さえ込み工具を取り外さなくても、固定部材の溝内への装着が行えるので、遮熱シートを溝形フレームに収容させた後は遮熱シートがずれないように押圧板部を押さえていればよく、作業が楽に行える。
【００１５】
請求項２に記載の遮熱シートの押さえ込み工具によれば、１枚の折曲板体にて一体形成されているので、工具の製造において溶接や固着工程を必要とせず、簡易な製造工程で製造できる。また、折曲形成であるため操作しやすい形状に形成することができる。
【００１６】
請求項３に記載の遮熱シートの押さえ込み工具によれば、２枚のＬ字形板体の１片同士を固着して形成されているので、製造を簡易、迅速に行える。同一形状のＬ字形２部材を組み合わせて形成すれば、部品点数を増やす必要がなく、部品管理の上で便利である。
【図面の簡単な説明】
【００１７】
【図１】（ａ）、（ｂ）、（ｃ）、（ｄ）はそれぞれ、本発明の第１実施形態に係る遮熱シートの押さえ込み工具の平面図、正面図、底面図、側面図である。
【図２】遮熱シートの取付状態を示す正面図および部分拡大断面図である。
【図３】遮熱シートの取付状態を示す平面図および部分拡大平面図である。
【図４】遮熱シートの溝形フレームへの取付手順（１）を示す斜視図である。
【図５】遮熱シートの溝形フレームへの取付手順（２）を示す斜視図である。
【図６】遮熱シートの溝形フレームへの取付手順（３）を示す斜視図である。
【図７】遮熱シートの溝形フレームへの取付手順（４）を示す斜視図である。
【図８】遮熱シートの溝形フレームへの取付手順（５）を示す斜視図である。
【図９】遮熱シートの溝形フレームへの取付手順（６）を示す斜視図である。
【図１０】（ａ）、（ｂ）、（ｃ）、（ｄ）はそれぞれ、本発明の第２実施形態に係る遮熱シートの押さえ込み工具の平面図、正面図、底面図、側面図である。
【図１１】遮熱シートの溝形フレームへの取付手順（１）を示す斜視図である。
【図１２】遮熱シートの溝形フレームへの取付手順（２）を示す斜視図である。
【図１３】遮熱シートの溝形フレームへの取付手順（３）を示す斜視図である。
【発明を実施するための形態】
【００１８】
以下に、本発明の実施の形態について、添付図面を参照しながら説明する。
【００１９】
図１（ａ）、（ｂ）、（ｃ）、（ｄ）はそれぞれ、本発明の第１実施形態に係る遮熱シートの押さえ込み工具の平面図、正面図、底面図、側面図である。図２は、その押さえ込み工具等を使用して取り付けた遮熱シートの取付状態を示す正面図および部分拡大断面図である。図３は、遮熱シートの取付状態を示す平面図および部分拡大平面図である。なお、以下では遮熱シートの押さえ込み工具を押さえ込み工具と省略して記す。
【００２０】
図１に示すように、この押さえ込み工具２０は、１枚の金属等の折曲板体よりなり、上面にやや上方に湾曲した押圧板部２１を有し、その押圧板部２１の長手方向に断続的に開口部２２を備えるとともに、下面には押圧板部２１の幅方向の両端より下方に延び、下端の板片間が狭まるように階段状に折曲して突出した押さえ込み脚片２３を備えた構成となっている。
【００２１】
本図例の押さえ込み工具２０は２つの開口部２２、２２を有し、押圧板部２１の開口部２２、２２を除く部位には押さえ操作部２１ａが形成されている。
【００２２】
なお、押さえ込み工具２０は、使用対象の遮熱シート１０の幅寸法に対応させて種々の長さに形成することが望ましく、その工具に形成する開口部２２については、その押さえ込み工具２０の長さ寸法に応じて適宜数の開口部２２を設ければよい。
【００２３】
本図例では、開口部２２は板体の幅方向の端部から一部を切除することで形成されている。この開口部２２は少なくとも上方から下方に通じる、固定部材６１の挿入空間および載置空間が形成されていればよい。
【００２４】
また、押さえ込み脚片２３の両脚部２３ｂのうち、開口部２２を切り欠いていない側の脚部２３ｂの開口部２２の下方に位置する部位には、固定部材６１を後述する内装フレーム５０の底部５１の上に脚部２３ｂに触れることなく載置できるように切欠き部２３ｃが形成されている（図１（ｂ）および後出の図４参照）。なお、図１（ａ）には固定部材６１の配置状態を２点鎖線で図示している。
【００２５】
また、本実施形態では、後述するように、この押さえ込み脚片２３の中央段部２３ａおよび脚部２３ｂが内装フレーム５０を上方から押さえ付ける押さえ部を構成している。この中央段部２３ａは、図１（ｃ）に示すように、開口部２２を切り欠いた側では断続的に形成され、切り欠いていない側では長手方向に連続して形成されている。
【００２６】
また、押さえ込み脚片２３の脚部２３ｂの板片間に空隙が形成されており、脚部２３ｂの幅寸法は後述する内装フレーム５０の溝部５１の開口幅よりも小さく形成されている。
【００２７】
この押さえ込み工具２０の使用方法の詳細については、後出の図４〜図９において詳述する。
【００２８】
一方、遮熱シート１０の取付対象は、図２に示しているように波形屋根１であり、波形屋根１の屋根材の端部を連結した連結山部１ａに屋根上固定具３を固定したうえで、その上に溝形フレーム３０を架設して、さらにその上に遮熱シート１０を取り付けるようにしたものである。なお、取付対象の屋根は波形屋根１に限定されず、他の形状の屋根であってもよい。
【００２９】
屋根上固定具３は、その構造の詳細を図示していないが、２つの挟着片３ａを組み合わせてなり、連結山部１ａの上方に突出した連結用のボルト体２の軸部に２つの挟着片３ａを挟着して屋根に固定される構造となっている。また、溝形フレーム３０は、屋根上固定具３に対してビス止めにて固定される構造となっている。なお、図２中の３ｂは、２つの挟着片３ａを緊締してボルト体２の軸部に挟着する緊締ボルトであり、１ｂはボルト体２で固定するための屋根材支持金具（タイトフレーム）である。
【００３０】
屋根上固定具３については、他の構造の屋根上固定具を用いてもよい。また、屋根材がハゼ結合されている屋根の場合、そのハゼ部に対して固定可能な屋根上固定具が用いられるが、本発明はそのような屋根上固定具を用いたものについても適用可能である。
【００３１】
また、遮熱シート１０を固定する溝形フレーム３０は、金属または硬質の合成樹脂（例えばＦＲＰ）より製された凹溝体よりなり、その溝部３１の開口の幅方向の両端部には巻き込み成形した強化リップ部３４が形成されている。
【００３２】
遮熱シート１０を屋根上に固定、張設するためには、溝形フレーム３０の他に、溝形フレーム３０と断面が略同一形状の内装フレーム５０と、角部をアール成形した長方形状の固定部材６１と、長尺状の波形スプリング６２と、溝部３１の開口を塞ぐフレームカバー４０とを使用している。このフレームカバー４０の幅方向の両端には、遮熱シート１０を押さえる押さえ片４１が形成されている。このフレームカバー４０は、溝形フレーム３０の底部３２と、屋根上固定具３の天板部をビスＳで貫通させて固定される。
【００３３】
遮熱シート１０は、このように溝形フレーム３０の溝内で内装フレーム５０の外面と溝形フレーム３０の溝内面との間に挟み込み、遮熱シート１０がずれないように溝内側より固定部材６１および波形スプリング６２で押圧して固定する固定構造となっている。
【００３４】
このような挟み込みの構造であるから、溝形フレーム３０の溝部３１に内装させる内装フレーム５０はその底部５２が幅方向への伸張および長手方向に沿った折曲が可能であり、かつ開口フランジ片５４が溝形フレーム３０の強化リップ部３４より外れないように、凹溝形状が変形しないように成形されていることが望ましい。例えば、硬質の合成樹脂で形成し、幅方向に伸びるように、かつ長手方向に沿って折り曲げられるように底部５２に長手方向に複数の千鳥状の切り溝を入れた内装フレーム５０を使用すればよい。
【００３５】
一方、遮熱シート１０は、柔軟性、伸縮性を有し、太陽熱を反射して遮断・遮熱する合成樹脂シートで構成されており、例えば本実施形態に示すように、太陽熱等を反射して遮断・遮熱する銀色等に着色した樹脂糸材を縦横に編んで形成した織物シートを好適に使用できる。
【００３６】
この遮熱シート１０は、屋根上に固定した溝形フレーム３０に固定され、溝形フレーム３０間に張設されるようになっている。本実施形態では、溝形フレーム３０に直交する方向に帯状に長い遮熱シート１０が用いられている。なお、本実施形態で用いる遮熱シート１０は、図３に示すように、幅方向の両端部１１、１１を除く部分（クロスハッチングで示した部位）は縦横の樹脂糸材で編み込まれて目が詰まっているが、両端は樹脂糸材（横糸１０ａ）を縦糸１０ｂで固定しないようにしている（図３の１点鎖線で囲んだ部分拡大平面図参照）。
【００３７】
ついで、遮熱シート１０の固定張設手順について、図４〜図９を参照しながら説明する。
【００３８】
まず、図４、図５に示すように、内装フレーム５０の溝部５１に押さえ込み工具２０の押さえ込み脚片２３の脚部２３ｂを挿入し、溝形フレーム３０への装着準備をする。この押さえ込み脚片２３の内装フレーム５０への挿入は、上述したように、押さえ込み脚片２３の脚部２３ｂと内装フレーム５０の溝部５１の開口の幅寸法の関係から遊嵌状態となるため、内装フレーム５０の開口フランジ片５４を手指で挟んで両部材が外れないように持っておけばよい。
【００３９】
その状態で押さえ込み工具２０を、遮熱シート１０を溝形フレーム３０の溝部３１の開口の上に配した状態で、内装フレーム５０の底部５２を変形させながら溝形フレーム３０の溝内に押さえ込んでいき、押し入れる（図４〜図６参照）。
【００４０】
そして、遮熱シート１０、内装フレーム５０および押さえ込み工具２０の押さえ込み脚片２３の脚部２３ｂを溝形フレーム３０の溝部３１に押し入れた状態で、押さえ込み工具２０の押圧板部２１の押さえ操作部２１ａを手指で押えて、遮熱シート１０がずれないようにしておき、その状態で固定部材６１を開口部２２より落とし入れる（図６参照）。
【００４１】
押さえ込み工具２０の下部においては、一方の脚部２３ｂには開口部２２により固定部材６１の落とし入れ空間が形成され、他方の脚部２３ｂには切欠き部２３ｃが形成されているので、落とし入れおよび内装フレーム５０の底部５２への載置もスムーズに行える。
【００４２】
このように、この押さえ込み工具２０によれば、上面に押圧板部２１が形成され、下面に押さえ込み脚片２３が形成されているので、押さえ込み工具２０を内装フレーム５０に合体させた状態で押圧板部２１で押圧しながら溝形フレーム３０の溝部３１の中に押さえ込むようにするだけで、簡単に内装フレーム５０を遮熱シート１０とともに溝形フレーム３０に装着できる。
【００４３】
また、押さえ込み工具２０は押圧板部２１の長手方向に断続的に開口部２２を備えているので、その開口部２２を固定部材６１の装着用の操作窓として使用できる。そのため、内装フレーム５０を溝形フレーム３０に嵌め入れた後に押さえ込み工具２０を取り外さなくても、固定部材６１の溝内への装着が行える。内装フレーム５０を溝内に押し入れた後は、遮熱シート１０がずれないように押圧板部２１を押さえていればよく、そのため作業が楽に行える。
【００４４】
特に、本実施形態の押さえ込み工具２０によれば、１枚の折曲板体にて一体形成されているので、製造において溶接や固着工程を必要とせず、簡易な製造工程で製造できる。また、本図例のものは、上部が中空の略口字形に形成されているので、手指で掴みやすく特に作業がしやすい。
【００４５】
また、本実施形態の図例では、押さえ込み脚片２３の脚部２３ｂの先端が内装フレーム５０の底部５２に接触していないが、装着途中においては、遮熱シート１０の張力が作用して底部５２が上方に突出するように変形し、脚部２３ｂはその変形した底部５２がさらに変形しないように押圧する。なお、底部５２が上方に突出しないように脚部２３ｂをさらに長く形成してもよい。その場合でも、切欠き部２３ｃが形成されているので、図１（ａ）に示したような固定部材６１の底部５２への載置は問題なく行える。
【００４６】
以上のように溝形フレーム３０に装着された遮熱シート１０は、以下に説明する固定部材６１の溝内への装着によって、溝形フレーム３０にずれないように固定される。
【００４７】
固定部材６１は、合成樹脂または金属で製された略長方形状の平板よりなり、その中央には、長辺方向に沿った操作溝６１ａが形成されている。なお、この操作溝６１ａは両面のいずれでも使用できるように貫通溝とすることが望ましい。
【００４８】
また、この固定部材６１の長辺の寸法は、両短辺で溝形フレーム３０の溝部３１の側壁３３を押圧できる程度の寸法とすることが望ましい。
【００４９】
まず、このような固定部材６１を、上述したように、遮熱シート１０が内装フレーム５０とともに装着された溝内に落とし入れ、溝形フレーム３０の長手方向に沿って配置する（図６、図７参照）。
【００５０】
その状態で、Ｌ形杆状のドライバー４の回転操作片４ａ下方に向け、溝内に置かれた固定部材６１の操作溝６１ａに回転操作片４ａを差し込み、差し込んだ状態で、固定部材６１の両短辺が溝内の内装フレーム５０の側壁５３に圧接するまで回転させる（図７、図８参照）。
【００５１】
固定部材６１は、その両短辺が溝内の内装フレーム５０の側壁５３（溝形フレーム３０の側壁３３）を押圧する構成であるため、長辺が溝形フレーム３０の長手方向に直交するまで回転することで固定部材６１は圧嵌され、その結果、遮熱シート１０は溝形フレーム３０の溝内面と、内装フレーム５０の外面との間に挟着された状態となり、固定される。
【００５２】
このような固定部材６１を遮熱シート１０の幅方向に複数箇所、取り付けることで、遮熱シート１０はほとんどずれないように、溝形フレーム３０の溝部３１に固定される。
【００５３】
本図例の押さえ込み工具２０は２つの開口部２２を備えているので、押さえ込み工具２０を移動させることなく２箇所に固定部材６１を取り付けることができる。押さえ込み工具２０を移動させなくてもよいから、押圧状態を維持でき、作業中に遮熱シート１０が弛むことを防止できる。なお、開口部２２は１つだけでもよく、その場合には押さえ込み工具２０を溝形フレーム３０の長手方向にスライドさせて開口部２２を別の位置に移動させればよい。
【００５４】
こうして遮熱シート１０を仮固定した後、さらに波形スプリング６２を、その山部６２ａと谷部６２ｂとで溝部３１の側壁３３を内側から押圧するように溝部３１内に装着する（図９参照）。
【００５５】
波形スプリング６２は、内装前の弾性力が作用しない状態では、その山部６２ａから谷部６２ｂまでの幅寸法（振幅の２倍）が溝部３１の底部３２の幅寸法（内寸法）よりも大きく形成されており、溝部３１に内装することで弾性変形し、弾性復帰力が作用して、さらに内装フレーム５０を溝部３１の側壁３３側へ押圧する。
【００５６】
このように遮熱シート１０を溝部３１の内側からの押圧によって溝形フレーム３０に固定してから、フレームカバー４０を溝部３１の開口を隠すように被せて、ビスＳ（ドリルねじ等）で溝形フレーム３０に固定する（図９参照）。
【００５７】
つぎに、本発明の第２実施形態について説明する。
【００５８】
図１０（ａ）、（ｂ）、（ｃ）、（ｄ）はそれぞれ、第２実施形態に係る遮熱シートの押さえ込み工具の平面図、正面図、底面図、側面図である。
【００５９】
本実施形態に示した押さえ込み工具２０は、同形状の２枚の側面視Ｌ字形の金属等よりなる板体２０ａ、２０ａを結合してなり、上面には２枚の板体２０ａ、２０ａの１片同士が連なってなる押圧板部２１を有し、その押圧板部２１の長手方向に断続的に開口部２２、２２を備えるとともに、下面には２枚の板体２０ａ、２０ａの他片同士が重なってなる押さえ込み脚片２３を備えた構成となっている。なお、他片同士の連結はかしめ結合によりなされているが、ボルト、ナット止めや溶接などで結合してもよい。
【００６０】
本図例の押さえ込み工具２０は２つの開口部２２、２２を有し、押圧板部２１の開口部２２、２２を除く部位には押さえ操作部２１ａが形成されている。
【００６１】
なお、この押さえ込み工具２０についても、使用対象の遮熱シート１０の幅寸法に対応させて種々の長さに形成することが望ましく、その工具に形成する開口部２２については、その押さえ込み工具２０の長さ寸法に応じて適宜数の開口部２２を設ければよい。
【００６２】
本図例では、開口部２２は各板体の上記他片の端部から上記１片の幅方向中央までの一部を切除することで形成されている。この開口部２２は少なくとも上方から下方に通じる、固定部材６１の挿入空間が形成されていればよい。
【００６３】
また、押圧板部２１は図１０（ｄ）に示すように、上記１片同士が略面一に連なって形成されている。この押圧板部２１の下面部２１ｂが、後述する内装フレーム５０の開口フランジ片５４を上方から押さえ付ける押さえ部を構成している。
【００６４】
一方、押さえ込み脚片２３は、幅寸法が後述する内装フレーム５０の溝部５１の開口幅よりも小さく形成されている。後述するように、この押さえ込み脚片２３も内装フレーム５０の底部５２を押さえる押さえ部を構成している。
【００６５】
本実施形態において用いられる、遮熱シート１０の取付対象である波形屋根および屋根上固定具については第１実施形態に示したものと同様であるため、図示および説明は省略する。また、遮熱シート１０も第１実施形態と同様であり、詳細構造については説明を割愛する。
【００６６】
また、溝形フレーム３０および遮熱シート１０の溝形フレーム３０への取付構造についても第１実施形態に示したものと同様であり、図示および説明は省略する（第１実施形態の図２、図３参照）。
【００６７】
ついで、遮熱シート１０の固定張設手順のうち遮熱シート１０の溝形フレーム３０への押さえ込み手順について、図１１〜図１３を参照しながら説明する。なお、遮熱シート１０の固定張設手順のうち固定部材６１による溝形フレーム３０への固定手順およびフレームカバー４０の取付手順については第１実施形態と同様であるため図示および説明を省略する（第１実施形態の図７〜図９参照）。
【００６８】
まず、図１１、図１２に示すように、内装フレーム５０の溝部５１に押さえ込み工具２０の押さえ込み脚片２３を挿入し、溝形フレーム３０への装着準備をする。この押さえ込み脚片２３の内装フレーム５０への挿入は、上述したように、押さえ込み脚片２３と内装フレーム５０の溝部５１の開口の幅寸法の関係から遊嵌状態となるため、内装フレーム５０の開口フランジ片５４を手指で挟んで両部材が外れないように持っておけばよい。
【００６９】
その状態で押さえ込み工具２０を、遮熱シート１０を溝形フレーム３０の溝部３１の開口の上に配した状態で、押さえ込み脚片２３の先端で内装フレーム５０の底部５２を押圧し変形させながら溝形フレーム３０の溝内に押さえ込んでいき、押し入れる（図１１〜図１３参照）。
【００７０】
このように、本実施形態においても、押さえ込み工具２０は上面に押圧板部２１が形成され、下面に押さえ込み脚片２３が形成されているので、押さえ込み脚片２３を内装フレーム５０に装着した状態で押圧板部２１を手指で押圧しながら溝形フレーム３０の溝部３１の中に押さえ込むようにするだけで、簡単に内装フレーム５０を遮熱シート１０とともに溝形フレーム３０に装着できる。
【００７１】
さらに、押さえ込み脚片２３の基部である押圧板部２１の下面部２１ｂが内装フレーム５０の開口フランジ片５４を押さえる構成であるため、内装フレーム５０を溝形フレーム３０の溝内に装着した後は、遮熱シート１０がずれないように押圧板部２１を押さえていればよく、そのため作業が楽に行える。
【００７２】
また、押さえ込み工具２０は押圧板部２１の長手方向に断続的に開口部２２を備えているので、その開口部２２を固定部材６１の装着用の操作窓として使用できる。そのため、内装フレーム５０を溝形フレーム３０に嵌め入れた後に押さえ込み工具２０を取り外さなくても、固定部材６１の溝内への装着が行える。作業中は遮熱シート１０がずれないように押圧板部２１を押さえていればよく、そのため作業が楽に行える。
【００７３】
特に、本実施形態の押さえ込み工具２０によれば、２枚のＬ字形板体の１片同士を固着して形成されているので、製造を簡易、迅速に行える。同一形状のＬ字形２部材を組み合わせて形成すれば、部品点数を増やす必要がなく、部品管理の上で便利である。また、本図例のものは、押圧板部２１がＬ字形の板片の幅広の１片をつないで連成されているので、押圧板部２１を幅広に形成でき、押圧操作をしやすくできる。
【符号の説明】
【００７４】
１０      遮熱シート
２０      押さえ込み工具
２１      押圧板部
２１ａ      押さえ操作部
２１ｂ      下面部
２２      開口部
２３      押さえ込み脚片
２３ａ      中央段部
２３ｂ      脚部
２３ｃ      切欠き部
３０      溝形フレーム
３１      溝部
３２      底部
３３      側壁
３４      強化リップ部
４０      フレームカバー
５０      内装フレーム
５１      溝部
５２      底部
５３      側壁
５４      開口フランジ片
６１      固定部材
６２      波形スプリング
１      波形屋根
３      屋根上固定具
【図１】
0005114543.tif 000002
【図２】
0005114543.tif 000003
【図３】
0005114543.tif 000004
【図４】
0005114543.tif 000005
【図５】
0005114543.tif 000006
【図６】
0005114543.tif 000007
【図７】
0005114543.tif 000008
【図８】
0005114543.tif 000009
【図９】
0005114543.tif 000010
【図１０】
0005114543.tif 000011
【図１１】
0005114543.tif 000012
【図１２】
0005114543.tif 000013
【図１３】
0005114543.tif 000014